【手続補正書】
【提出日】令和2年10月30日(2020.10.30)
【手続補正１】
【補正対象書類名】明細書
【補正対象項目名】００５９
【補正方法】変更
【補正の内容】
【００５９】
様々な例について説明した。上記その他の例は、以下の特許請求の範囲の範囲内である。また下記に、例示的実施形態について述べる。
［１］
異なる向きの光分布を有する第１の光源及び第２の光源と、
第１の主面及び構造化表面を備える非対称転向フィルムであって、前記第１の主面は、前記第１の主面に垂直に延びるディスプレイ軸を画定しており、前記構造化表面は、前記構造化表面にわたって形成された複数の微細構造対を備える非対称転向フィルムと、を備えるディスプレイデバイスであって、前記複数の微細構造対のそれぞれは、
第１の稜部において交差する第１の面及び第２の面を備える第１の微細構造であって、前記第１の微細構造は、前記第１の稜部から延び、かつ前記第１の面と前記第２の面との間の角度を等しく分割する第１の微細構造軸を画定し、前記第１の微細構造軸及び前記ディスプレイ軸は、第１の角度（α）を画定し、前記第１の面は、前記第１の光源からの光を優先的に反射し、前記第２の面は、前記第２の光源からの光を優先的に反射する、第１の微細構造と、
第２の稜部で交差する第３の面及び第４の面を備える第２の微細構造であって、前記第２の微細構造は、前記第２の稜部から延び、かつ前記第３の面と前記第４の面第２の面との間の角度を等しく分割する第２の微細構造軸を画定し、前記第２の微細構造軸及び前記ディスプレイ軸は、第２の角度（β）を画定し、前記第３の面は、前記第１の光源からの光を優先的に反射し、前記第４の面は、前記第２の光源からの光を優先的に反射する、第２の微細構造と、を備え、
前記第１の微細構造及び前記第２の微細構造が、互いに直接隣接し、前記第１の面、前記第２の面、及び前記第４の面が全て、異なる方向に光を反射するように構成され、
前記複数の微細構造対は、前記構造化表面にわたって移動する約０．０１度／ミリメートル（°／ｍｍ）〜約０．０８°／ｍｍの第１の角度勾配（Δα）を画定し、及び前記構造化表面にわたって移動する約０．０１°／ｍｍ〜約０．０８°／ｍｍの第２の角度勾配（Δβ）を画定する、
ディスプレイデバイス。
［２］
複数の画素を含む液晶パネルと、
前記第１の光源、前記第２の光源、及び前記液晶パネルを独立して駆動するように構成されたコントローラと、
を更に備え、
前記コントローラは、前記液晶パネルを一次状態及び二次状態に迅速に切り替えるように構成され、
前記コントローラは、更に前記第１の光源が照明されているが前記第２の光源が照明されていないときに、前記液晶パネルが一次状態になるように、及び前記第２の光源が照明されているが前記第１の光源が照明されていないときに、前記液晶パネルが二次状態になるように、前記第１の光源及び前記第２の光源の前記駆動を迅速に切り替えるように構成されている、
［１］に記載のディスプレイデバイス。
［３］
前記ディスプレイデバイスは、前記非対称転向フィルムの前記ディスプレイ軸に対して実質的に平行な法線を有するディスプレイ表面を画定し、前記複数の微細構造対のそれぞれに関して、前記第１の面及び前記第２の微細構造の前記第３の面によって反射された前記第１の光源からの光は、前記ディスプレイ表面の一次観察位置に向けられた一次出力分布を生成する、［１］に記載のディスプレイデバイス。
［４］
前記一次観察位置は、前記ディスプレイ表面から約３０センチメートル（ｃｍ）〜約２００ｃｍに設定されている、［３］に記載のディスプレイデバイス。
［５］
前記第１の角度勾配（Δα）は、前記複数の微細構造対のそれぞれの一次出力分布が前記一次観察位置に向けられるように設定されている、［３］に記載のディスプレイデバイス。
［６］
前記複数の微細構造対のそれぞれに関して、前記一次出力分布は、約１０度〜約４０度の分布幅を画定する、［３］に記載のディスプレイデバイス。
［７］
前記複数の微細構造対のそれぞれに関して、前記第２の面によって反射された前記第２の光源からの光は、前記ディスプレイ軸から測定したときに約−９０度〜約−２０度の視野角の第１の特性セットを含む第１の軸外出力分布を生成し、
前記第４の面によって反射された前記第２の光源からの光は、前記ディスプレイ軸から測定したときに約＋２０度〜約＋９０度の視野角の第２の特性セットを含む第２の軸外出力分布を生成する、［３］に記載のディスプレイデバイス。
［８］
前記一次出力分布は、前記ディスプレイ軸から測定したときに約−２０度〜約＋２０度の視野角の第３の特性セットを含む、［７］に記載のディスプレイデバイス。
［９］
前記複数の微細構造対のそれぞれは、前記第１の微細構造及び前記第２の微細構造にわたるスパンを測定する、前記ディスプレイ軸に垂直に測定される対の幅を画定し、前記複数の微細構造対の前記対の幅は、前記構造化表面にわたって実質的に一定である、［１］に記載のディスプレイデバイス。
［１０］
前記第２の面及び前記第４の面は、実質的に非平面である、［１］に記載のディスプレイデバイス。
［１１］
前記第２の面及び前記第４の面は、鋸歯状、交互の放物線状、正弦波状、微細要素の構造化表面状、弓形状、放物線状、又は連続曲線状のうちの少なくとも１つを画定する、［１０］に記載のディスプレイデバイス。
［１２］
異なる向きの光分布を有する第１の光源及び第２の光源と、
第１の主面及び構造化表面を含む非対称転向フィルムであって、前記第１の主面は、前記第１の主面に垂直に延びるディスプレイ軸を画定し、前記構造化表面は、前記構造化表面にわたって形成された複数の微細構造対を備える非対称転向フィルムと、を備えるディスプレイデバイスであって、前記複数の微細構造対のそれぞれは、
第１の稜部で交差する第１の面及び第２の面を備える第１の微細構造であって、前記第１の微細構造は、前記ディスプレイ軸に垂直に測定される第１の微細構造の幅（Ｗ１）を画定し、前記第１の面は、前記第１の光源からの光を優先的に反射し、前記第２の面は、前記第２の光源からの光を優先的に反射する、第１の微細構造と、
第２の稜部で交差する第３の面及び第４の面を備える第２の微細構造であって、前記第２の微細構造は、前記ディスプレイ軸に垂直に測定される第２の微細構造の幅（Ｗ２）を画定し、前記第３の面は、前記第１の光源からの光を優先的に反射し、前記第４の面は、前記第２の光源からの光を優先的に反射する、第２の微細構造と、を備え、
前記第１の微細構造及び前記第２の微細構造は、互いに直接隣接し、前記第１の面、前記第２の面、及び前記第４の面は全て、異なる方向に光を反射するように構成され、前記微細構造対が、Ｗ１／Ｗ２に等しい幅の比（ＷＲ）を画定し、
前記複数の微細構造対が、前記構造化表面にわたって移動する約０．２／マイクロメートル（μｍ）〜約１．３／μｍの幅比勾配（ΔＷＲ）を画定する、
ディスプレイデバイス。
［１３］
複数の画素を含む液晶パネルと、
前記第１の光源、前記第２の光源、及び前記液晶パネルを独立して駆動するように構成されたコントローラと、
を更に備え、
前記コントローラは、前記液晶パネルを一次状態及び二次状態に迅速に切り替えるように構成され、
前記コントローラは、更に前記第１の光源が照明されているが前記第２の光源が照明されていないときに前記液晶パネルが一次状態になるように、及び前記第２の光源が照明されているが前記第１の光源が照明されていないときに前記液晶パネルが二次状態になるように、前記第１の光源及び前記第２の光源の前記駆動を迅速に切り替えるように構成されている、
［１２］に記載のディスプレイデバイス。
［１４］
前記複数の微細構造対のそれぞれは、第１の微細構造の幅（Ｗ１）に前記第２の微細構造の幅（Ｗ２）を加えたものに等しい対の幅（Ｗ１＋２）を画定し、前記対の幅（Ｗ１＋２）は、約１５μｍ〜約５００μｍである、［１２］に記載のディスプレイデバイス。
［１５］
前記複数の微細構造対の前記対の幅（Ｗ１＋２）は、前記構造化表面にわたって実質的に一定である、［１４］に記載のディスプレイデバイス。
［１６］
前記ディスプレイデバイスは、前記非対称転向フィルムの前記ディスプレイ軸に対して実質的に平行な法線を有するディスプレイ表面を画定し、前記複数の微細構造対のそれぞれに関して、前記第１の微細構造の前記第１の面及び前記第２の微細構造の前記第３の面によって反射された前記第１の光源からの光は、前記ディスプレイ表面の一次観察位置に向けられた一次出力分布を生成する、［１４］に記載のディスプレイデバイス。
［１７］
前記複数の微細構造対のそれぞれに関して、前記一次出力分布は、約１０度〜約４０度の分布幅を画定する、［１６］に記載のディスプレイデバイス。
［１８］
前記複数の微細構造対のそれぞれに関して、前記第２の面によって反射された前記第２の光源からの光は、前記ディスプレイ軸から測定したときに約−９０度〜約−２０度の視野角の第１の特性セットを含む第１の軸外出力分布を生成し、
前記第４の面によって反射された前記第２の光源からの光は、前記ディスプレイ軸から測定したときに約＋２０度〜約＋９０度の視野角の第１の特性セットを含む、第２の軸外出力分布を生成する、［１６］に記載のディスプレイデバイス。
［１９］
前記一次出力分布は、前記ディスプレイ軸から測定したときに約−２０度〜約＋２０度の視野角の第３の特性セットを含む、［１８］に記載のディスプレイデバイス。
［２０］
前記第２の面及び前記第４の面は、実質的に非平面である、［１２］に記載のディスプレイデバイス。
［２１］
異なる向きの光分布を有する第１の光源及び第２の光源と、
第１の主面及び構造化表面を備える非対称転向フィルムであって、前記第１の主面は、前記第１の主面に垂直に延びるディスプレイ軸を画定し、前記構造化表面は、前記構造化表面にわたって形成された複数の微細構造を備える非対称転向フィルムと、を備えるディスプレイデバイスであって、それぞれの微細構造は、
第１の面を備える第１の側面であって、前記第１の面は、前記第１の光源からの光を優先的に反射する、第１の側面と、
第２の面及び第３の面を備える第２の側面であって、前記第２の面及び前記第３の面はそれぞれ、前記第２の光源からの光を優先的に反射する、第２の側面と、を備え、
前記第１の面及び前記第２の面は、稜部で交差し、前記微細構造は、前記第１の稜部から延び、かつ前記第１の面と前記第２の面との間の角度を等しく分割する微細構造軸を画定し、前記微細構造軸及び前記ディスプレイ軸は、第１の角度（α）を画定し、前記第１の面、前記第２の面、及び前記第３の面は全て、異なる方向に光を反射するように構成され、
前記複数の微細構造は、前記構造化表面にわたって移動する約０．０１度／ミリメートル（°／ｍｍ）〜約０．０８°／ｍｍの第１の角度勾配（Δα）を画定する、
ディスプレイデバイス。
［２２］
複数の画素を含む液晶パネルと、
前記第１の光源、前記第２の光源、及び前記液晶パネルを独立して駆動するように構成されたコントローラと、
を更に備え、
前記コントローラは、前記液晶パネルを一次状態と二次状態とに迅速に切り替えるように構成され、
前記コントローラは、更に前記第１の光源が照明されているが前記第２の光源が照明されていないときに前記液晶パネルは一次状態になり、及び前記第２の光源が照明されているが前記第１の光源が照明されていないときに前記液晶パネルは二次状態になるように、前記第１の光源及び前記第２の光源の前記駆動を迅速に切り替えるように構成されている、
［２１］に記載のディスプレイデバイス。
［２３］
前記ディスプレイデバイスは、前記非対称転向フィルムの前記ディスプレイ軸に対して実質的に平行な法線を有するディスプレイ表面を画定し、前記複数の微細構造のそれぞれに関して、前記第１の面によって反射された前記第１の光源からの光は、前記ディスプレイ表面の一次観察位置に向けられた一次出力分布を生成する、［２１］に記載のディスプレイデバイス。
［２４］
前記一次観察位置は、前記ディスプレイ表面から約３０センチメートル（ｃｍ）〜約２００ｃｍに設定されている、［２３］に記載のディスプレイデバイス。
［２５］
前記第１の角度勾配（Δα）は、前記複数の微細構造の各微細構造のそれぞれの一次出力分布が前記一次観察位置に向けられるように設定されている、［２３］に記載のディスプレイデバイス。
［２６］
前記複数の微細構造のそれぞれに関して、前記一次出力分布は、約１０度〜約４０度の分布幅を画定する、［２３］に記載のディスプレイデバイス。
［２７］
前記複数の微細構造のそれぞれの微細構造に関して、前記第３の面によって反射された前記第２の光源からの光は、前記ディスプレイ軸から測定したときに約−９０度〜約−２０度の視野角の第１の特性セットを含む第１の軸外出力分布を生成し、
前記第２の面によって反射された前記第２の光源からの光は、前記ディスプレイ軸から測定したときに約＋２０度〜約＋９０度の視野角の第２の特性セットを含む第２の軸外出力分布を生成する、［２３］に記載のディスプレイデバイス。
［２８］
前記一次出力分布は、前記ディスプレイ軸から測定したときに約−２０度〜約＋２０度の視野角の第３の特性セットを含む、［２７］に記載のディスプレイデバイス。
［２９］
前記複数の微細構造のそれぞれの微細構造は、前記微細構造にわたるスパンを測定する、前記ディスプレイ軸に垂直に測定される微細構造の幅を画定し、前記複数の微細構造のそれぞれの微細構造に対する前記微細構造の幅は、前記構造化表面にわたって実質的に一定である、［２１］に記載のディスプレイデバイス。
［３０］
前記第２の面及び前記第３の面は、実質的に非平面である、［２１］に記載のディスプレイデバイス。
［３１］
前記第２の面及び前記第３の面は、鋸歯状、交互の放物線状、正弦波状、微細要素の構造化表面状、弓形状、放物線状、又は連続曲線状のうちの少なくとも１つを画定する、［３０］に記載のディスプレイデバイス。
［３２］
異なる向きの光分布を有する第１の光源及び第２の光源と、
第１の主面及び構造化表面を備える非対称転向フィルムであって、前記第１の主面は、前記第１の主面に垂直に延びるディスプレイ軸を画定し、前記構造化表面は、前記構造化表面にわたって形成された複数の微細構造を備える非対称転向フィルムと、を備えるディスプレイデバイスであって、前記複数の微細構造のそれぞれの微細構造は、
第１の面を備える第１の側面であって、前記第１の面は、前記第１の光源からの光を優先的に反射する、第１の側面と、
第２の面及び第３の面を備える第２の側面であって、前記第２の面及び前記第３の面はそれぞれ、前記第２の光源からの光を優先的に反射する、第２の側面と、を備え、
前記第１の面及び前記第２の面は、稜部で交差し、前記第１の面、前記第２の面、及び前記第３の面は全て、異なる方向に光を反射するように構成され、前記微細構造は、前記ディスプレイ軸に垂直に測定される微細構造の幅（Ｗ）を画定し、前記非対称転向フィルムは、前記非対称転向フィルムの位置の関数として前記複数の微細構造の前記それぞれの微細構造の幅の変化（ΔＷ）を画定する、
ディスプレイデバイス。
［３３］
複数の画素を含む液晶パネルと、
前記第１の光源、前記第２の光源、及び前記液晶パネルを独立して駆動するように構成されたコントローラと、
を更に備え、
前記コントローラは、前記液晶パネルを一次状態及び二次状態に迅速に切り替えるように構成され、
前記コントローラは、更に前記第１の光源が照明されているが前記第２の光源が照明されていないときに、前記液晶パネルは一次状態になり、及び前記第２の光源が照明されているが前記第１の光源が照明されていないときに、前記液晶パネルは二次状態になるように、前記第１の光源及び前記第２の光源の前記駆動を迅速に切り替えるように構成されている、
［３２］に記載のディスプレイデバイス。
［３４］
隣接する微細構造間の前記それぞれの微細構造の幅の前記変化（ΔＷ）は、約２％〜約２５％の増加である、［３２］に記載のディスプレイデバイス。
［３５］
前記ディスプレイデバイスは、前記非対称転向フィルムの前記ディスプレイ軸に実質的に平行な法線を有するディスプレイ表面を画定し、前記複数の微細構造のそれぞれに関して、前記第１の面によって反射された前記第１の光源からの光は、前記ディスプレイ表面の一次観察位置に向けられた一次出力分布を生成する、［３３］に記載のディスプレイデバイス。
［３６］
前記一次観察位置は、前記ディスプレイ表面から約３０センチメートル（ｃｍ）〜約２００ｃｍに設定されている、［３３］に記載のディスプレイデバイス。
［３７］
前記複数の微細構造のそれぞれに関して、前記一次出力分布は、約１０度〜約４０度の分布幅を画定している、［３３］に記載のディスプレイデバイス。
［３８］
前記複数の微細構造のそれぞれの微細構造に関して、前記第３の面によって反射された前記第２の光源からの光は、前記ディスプレイ軸から測定したときに約−９０度〜約−２０度の視野角の第１の特性セットを含む第１の軸外出力分布を生成し、
前記第２の面によって反射された前記第２の光源からの光は、前記ディスプレイ軸から測定したときに約＋２０度〜約＋９０度の視野角の第２の特性セットを含む第２の軸外出力分布を生成する、［３３］に記載のディスプレイデバイス。
［３９］
前記一次出力分布は、前記ディスプレイ軸から測定したときに約−２０度〜約＋２０度の視野角の第３の特性セットを含む、［３３］に記載のディスプレイデバイス。
［４０］
前記第２の面及び前記第３の面は、実質的に非平面である、［３２］に記載のディスプレイデバイス。
［４１］
前記第２の面及び前記第３の面は、鋸歯状、交互の放物線状、正弦波状、微細要素の構造化表面状、弓形状、放物線状、又は連続曲線状のうちの少なくとも１つを画定する、［４０］に記載のディスプレイデバイス。
【手続補正２】
【補正対象書類名】特許請求の範囲
【補正対象項目名】全文
【補正方法】変更
【補正の内容】
【特許請求の範囲】
【請求項１】
異なる向きの光分布を有する第１の光源及び第２の光源と、
第１の主面及び構造化表面を備える非対称転向フィルムであって、前記第１の主面は、前記第１の主面に垂直に延びるディスプレイ軸を画定しており、前記構造化表面は、前記構造化表面にわたって形成された複数の微細構造対を備える非対称転向フィルムと、を備えるディスプレイデバイスであって、前記複数の微細構造対のそれぞれは、
第１の稜部において交差する第１の面及び第２の面を備える第１の微細構造であって、前記第１の微細構造は、前記第１の稜部から延び、かつ前記第１の面と前記第２の面との間の角度を等しく分割する第１の微細構造軸を画定し、前記第１の微細構造軸及び前記ディスプレイ軸は、第１の角度（α）を画定し、前記第１の面は、前記第１の光源からの光を優先的に反射し、前記第２の面は、前記第２の光源からの光を優先的に反射する、第１の微細構造と、
第２の稜部で交差する第３の面及び第４の面を備える第２の微細構造であって、前記第２の微細構造は、前記第２の稜部から延び、かつ前記第３の面と前記第４の面第２の面との間の角度を等しく分割する第２の微細構造軸を画定し、前記第２の微細構造軸及び前記ディスプレイ軸は、第２の角度（β）を画定し、前記第３の面は、前記第１の光源からの光を優先的に反射し、前記第４の面は、前記第２の光源からの光を優先的に反射する、第２の微細構造と、を備え、
前記第１の微細構造及び前記第２の微細構造が、互いに直接隣接し、前記第１の面、前記第２の面、及び前記第４の面が全て、異なる方向に光を反射するように構成され、
前記複数の微細構造対は、前記構造化表面にわたって移動する約０．０１度／ミリメートル（°／ｍｍ）〜約０．０８°／ｍｍの第１の角度勾配（Δα）を画定し、及び前記構造化表面にわたって移動する約０．０１°／ｍｍ〜約０．０８°／ｍｍの第２の角度勾配（Δβ）を画定する、
ディスプレイデバイス。
【請求項２】
複数の画素を含む液晶パネルと、
前記第１の光源、前記第２の光源、及び前記液晶パネルを独立して駆動するように構成されたコントローラと、
を更に備え、
前記コントローラは、前記液晶パネルを一次状態及び二次状態に迅速に切り替えるように構成され、
前記コントローラは、更に前記第１の光源が照明されているが前記第２の光源が照明されていないときに、前記液晶パネルが一次状態になるように、及び前記第２の光源が照明されているが前記第１の光源が照明されていないときに、前記液晶パネルが二次状態になるように、前記第１の光源及び前記第２の光源の前記駆動を迅速に切り替えるように構成されている、
請求項１に記載のディスプレイデバイス。
【請求項３】
前記ディスプレイデバイスは、前記非対称転向フィルムの前記ディスプレイ軸に対して実質的に平行な法線を有するディスプレイ表面を画定し、前記複数の微細構造対のそれぞれに関して、前記第１の面及び前記第２の微細構造の前記第３の面によって反射された前記第１の光源からの光は、前記ディスプレイ表面の一次観察位置に向けられた一次出力分布を生成する、請求項１に記載のディスプレイデバイス。
【請求項４】
前記複数の微細構造対のそれぞれは、前記第１の微細構造及び前記第２の微細構造にわたるスパンを測定する、前記ディスプレイ軸に垂直に測定される対の幅を画定し、前記複数の微細構造対の前記対の幅は、前記構造化表面にわたって実質的に一定である、請求項１に記載のディスプレイデバイス。
【請求項５】
異なる向きの光分布を有する第１の光源及び第２の光源と、
第１の主面及び構造化表面を含む非対称転向フィルムであって、前記第１の主面は、前記第１の主面に垂直に延びるディスプレイ軸を画定し、前記構造化表面は、前記構造化表面にわたって形成された複数の微細構造対を備える非対称転向フィルムと、を備えるディスプレイデバイスであって、前記複数の微細構造対のそれぞれは、
第１の稜部で交差する第１の面及び第２の面を備える第１の微細構造であって、前記第１の微細構造は、前記ディスプレイ軸に垂直に測定される第１の微細構造の幅（Ｗ１）を画定し、前記第１の面は、前記第１の光源からの光を優先的に反射し、前記第２の面は、前記第２の光源からの光を優先的に反射する、第１の微細構造と、
第２の稜部で交差する第３の面及び第４の面を備える第２の微細構造であって、前記第２の微細構造は、前記ディスプレイ軸に垂直に測定される第２の微細構造の幅（Ｗ２）を画定し、前記第３の面は、前記第１の光源からの光を優先的に反射し、前記第４の面は、前記第２の光源からの光を優先的に反射する、第２の微細構造と、を備え、
前記第１の微細構造及び前記第２の微細構造は、互いに直接隣接し、前記第１の面、前記第２の面、及び前記第４の面は全て、異なる方向に光を反射するように構成され、前記微細構造対が、Ｗ１／Ｗ２に等しい幅の比（ＷＲ）を画定し、
前記複数の微細構造対が、前記構造化表面にわたって移動する約０．２／マイクロメートル（μｍ）〜約１．３／μｍの幅比勾配（ΔＷＲ）を画定する、
ディスプレイデバイス。
【請求項６】
複数の画素を含む液晶パネルと、
前記第１の光源、前記第２の光源、及び前記液晶パネルを独立して駆動するように構成されたコントローラと、
を更に備え、
前記コントローラは、前記液晶パネルを一次状態及び二次状態に迅速に切り替えるように構成され、
前記コントローラは、更に前記第１の光源が照明されているが前記第２の光源が照明されていないときに前記液晶パネルが一次状態になるように、及び前記第２の光源が照明されているが前記第１の光源が照明されていないときに前記液晶パネルが二次状態になるように、前記第１の光源及び前記第２の光源の前記駆動を迅速に切り替えるように構成されている、
請求項５に記載のディスプレイデバイス。
【請求項７】
前記複数の微細構造対のそれぞれは、第１の微細構造の幅（Ｗ１）に前記第２の微細構造の幅（Ｗ２）を加えたものに等しい対の幅（Ｗ１＋２）を画定し、前記対の幅（Ｗ１＋２）は、約１５μｍ〜約５００μｍである、請求項５に記載のディスプレイデバイス。
【請求項８】
異なる向きの光分布を有する第１の光源及び第２の光源と、
第１の主面及び構造化表面を備える非対称転向フィルムであって、前記第１の主面は、前記第１の主面に垂直に延びるディスプレイ軸を画定し、前記構造化表面は、前記構造化表面にわたって形成された複数の微細構造を備える非対称転向フィルムと、を備えるディスプレイデバイスであって、それぞれの微細構造は、
第１の面を備える第１の側面であって、前記第１の面は、前記第１の光源からの光を優先的に反射する、第１の側面と、
第２の面及び第３の面を備える第２の側面であって、前記第２の面及び前記第３の面はそれぞれ、前記第２の光源からの光を優先的に反射する、第２の側面と、を備え、
前記第１の面及び前記第２の面は、稜部で交差し、前記微細構造は、前記第１の稜部から延び、かつ前記第１の面と前記第２の面との間の角度を等しく分割する微細構造軸を画定し、前記微細構造軸及び前記ディスプレイ軸は、第１の角度（α）を画定し、前記第１の面、前記第２の面、及び前記第３の面は全て、異なる方向に光を反射するように構成され、
前記複数の微細構造は、前記構造化表面にわたって移動する約０．０１度／ミリメートル（°／ｍｍ）〜約０．０８°／ｍｍの第１の角度勾配（Δα）を画定する、
ディスプレイデバイス。
【請求項９】
複数の画素を含む液晶パネルと、
前記第１の光源、前記第２の光源、及び前記液晶パネルを独立して駆動するように構成されたコントローラと、
を更に備え、
前記コントローラは、前記液晶パネルを一次状態と二次状態とに迅速に切り替えるように構成され、
前記コントローラは、更に前記第１の光源が照明されているが前記第２の光源が照明されていないときに前記液晶パネルは一次状態になり、及び前記第２の光源が照明されているが前記第１の光源が照明されていないときに前記液晶パネルは二次状態になるように、前記第１の光源及び前記第２の光源の前記駆動を迅速に切り替えるように構成されている、
請求項８に記載のディスプレイデバイス。
【請求項１０】
前記ディスプレイデバイスは、前記非対称転向フィルムの前記ディスプレイ軸に対して実質的に平行な法線を有するディスプレイ表面を画定し、前記複数の微細構造のそれぞれに関して、前記第１の面によって反射された前記第１の光源からの光は、前記ディスプレイ表面の一次観察位置に向けられた一次出力分布を生成する、請求項８に記載のディスプレイデバイス。
【請求項１１】
前記複数の微細構造のそれぞれの微細構造は、前記微細構造にわたるスパンを測定する、前記ディスプレイ軸に垂直に測定される微細構造の幅を画定し、前記複数の微細構造のそれぞれの微細構造に対する前記微細構造の幅は、前記構造化表面にわたって実質的に一定である、請求項８に記載のディスプレイデバイス。
【請求項１２】
異なる向きの光分布を有する第１の光源及び第２の光源と、
第１の主面及び構造化表面を備える非対称転向フィルムであって、前記第１の主面は、前記第１の主面に垂直に延びるディスプレイ軸を画定し、前記構造化表面は、前記構造化表面にわたって形成された複数の微細構造を備える非対称転向フィルムと、を備えるディスプレイデバイスであって、前記複数の微細構造のそれぞれの微細構造は、
第１の面を備える第１の側面であって、前記第１の面は、前記第１の光源からの光を優先的に反射する、第１の側面と、
第２の面及び第３の面を備える第２の側面であって、前記第２の面及び前記第３の面はそれぞれ、前記第２の光源からの光を優先的に反射する、第２の側面と、を備え、
前記第１の面及び前記第２の面は、稜部で交差し、前記第１の面、前記第２の面、及び前記第３の面は全て、異なる方向に光を反射するように構成され、前記微細構造は、前記ディスプレイ軸に垂直に測定される微細構造の幅（Ｗ）を画定し、前記非対称転向フィルムは、前記非対称転向フィルムの位置の関数として前記複数の微細構造の前記それぞれの微細構造の幅の変化（ΔＷ）を画定する、
ディスプレイデバイス。
【請求項１３】
複数の画素を含む液晶パネルと、
前記第１の光源、前記第２の光源、及び前記液晶パネルを独立して駆動するように構成されたコントローラと、
を更に備え、
前記コントローラは、前記液晶パネルを一次状態及び二次状態に迅速に切り替えるように構成され、
前記コントローラは、更に前記第１の光源が照明されているが前記第２の光源が照明されていないときに、前記液晶パネルは一次状態になり、及び前記第２の光源が照明されているが前記第１の光源が照明されていないときに、前記液晶パネルは二次状態になるように、前記第１の光源及び前記第２の光源の前記駆動を迅速に切り替えるように構成されている、
請求項１２に記載のディスプレイデバイス。
【請求項１４】
隣接する微細構造間の前記それぞれの微細構造の幅の前記変化（ΔＷ）は、約２％〜約２５％の増加である、請求項１２に記載のディスプレイデバイス。
【請求項１５】
前記第２の面及び前記第３の面は、実質的に非平面である、請求項１、５、８、１２のいずれか一項に記載のディスプレイデバイス。